(57)【要約】【課題】サルカンとしての機能を発揮しながら、アワセ切れや釣糸の絡まりをなくし、且つ釣糸を繋ぐ係止具を小さくして連結具全体をコンパクト化でき、さらに錘や浮き等の釣具を交換自在に取付けることのできる釣用連結具を提供する。【解決手段】弾性材料からなる軸状部材1aの両端部分にそれぞれ釣糸9を結ぶ係止具1eを設けた主軸状体1を具備し、さらに、該係止具が、金属製環状部10bと、これを回転自在に取付けている胴部10aとを備え、且つ前記軸状部材1aの両端部分で、端面15から該軸状部材1aの軸内方向に、該胴部10aがそれぞれ埋設一体化されてなる。【選択図】図３
2012034656.tif 000002
【特許請求の範囲】
【請求項１】
弾性材料からなる軸状部材(1a)の両端部分にそれぞれ釣糸(9)を結ぶ係止具(1e)を設けた主軸状体(1)を具備し、
さらに、該係止具が、金属製環状部(10b)と、これを回転自在に取付けている胴部(10a)とを備え、且つ前記軸状部材(1a)の両端部分で、端面(15)から該軸状部材(1a)に、該胴部(10a)がそれぞれ埋設一体化されてなることを特徴とする釣用連結具。
【請求項２】
前記軸状部材(1a)の弾性材料がゴム材料からなり、さらに、該軸状部材(1a)が、その両端部分に前記胴部(10a)をそれぞれ組み込んでインサート成形されてなる請求項１記載の釣用連結具。
【請求項３】
前記軸状部材(1a)の弾性材料がゴム材料からなり、さらに、前記軸状部材(1a)の両端部分で、端面(15)から該軸状部材の軸内部へ凹所(16)が形成される一方、筒外周面(10a2)に接着剤(g)を塗布した前記胴部(10a)が、それぞれ該凹所(16)に挿入、埋設されて、凹所(16)を形成する内壁(16a)に接着固定される請求項１記載の釣用連結具。
【請求項４】
本体主部(2a)に縦通する通孔(20)を形成し、且つ該本体主部の外周面(21)から通孔(20)に達する半径方向の割り溝(23)が設けられた釣具(2)をさらに具備し、且つ前記軸状部材(1a)の一端部分に該通孔(20)の孔径(D)よりも外径が大きくして釣具(2)の抜け落ちを阻止するストッパ部(14)を設ける一方、該軸状部材(1a)の他端部分に向けて前記通孔(20)の孔径(D)よりも外径(d2)が小さな小径軸部(12)を設け、さらに、前記ストッパ部(14)から延設し該小径軸部(12)につながる該軸状部材(1a)の前記ストッパ部(14)側で、且つ前記胴部(10a)が埋設された第一胴部埋設部位(11a)に、前記通孔(20)の孔径(D)よりも該第一胴部埋設部位(11a) そのものの外径(d1)が大きいか又は該第一胴部埋設部位(11a)の外径(d1)を大きくする隆起部(18)が隆起形成され、該第一胴部埋設部位そのもの又は該隆起部(18)を弾性変形させることにより前記釣具(2)を該隆起部(18)が在る該第一胴部埋設部位(11a)に嵌入できるようにし、且つ該第一胴部埋設部位そのもの又は該隆起部(18)の弾性復元力で嵌入された該釣具を係止するようにした請求項１乃至３のいずれか１項に記載の釣用連結具。
【請求項５】
本体主部(2a)に縦通する通孔(20)を形成し、且つ該本体主部の外周面(21)から通孔(20)に達する半径方向の割り溝(23)が設けられた釣具(2)をさらに具備し、且つ前記軸状部材(1a)の一端部分に該通孔(20)の孔径(D)よりも外径が大きくして釣具(2)の抜け落ちを阻止するストッパ部(14)を設ける一方、該軸状部材(1a)の他端部分に向けて前記通孔(20)の孔径(D)よりも外径(d2)が小さな小径軸部(12)を設け、さらに前記軸状部材(1a)の他端部分で、前記胴部(10a)が埋設された第二胴部埋設部位(11b)に、前記通孔(20)の孔径(D)よりも該第二胴部埋設部位(11b)の外径(d5)を大きくするか又は横幅を前記割り溝(23)の溝幅(W0)よりも大きくする縦長の突部(19)が突出形成され、該突部(19)を弾性変形させることにより前記釣具(2)が突部(19)を乗り越え前記ストッパ部(14)の在る小径軸部(12)側へ嵌め込まれるようにし、且つ弾性復元した該突部(19)で、該ストッパ部(14)の在る小径軸部(12)側へ遊嵌された該釣具(2)が該第二胴部埋設部位(11b)の環状部(10b)側へ抜け出るのを係止するようにした請求項１乃至４のいずれか１項に記載の釣用連結具。
【発明の詳細な説明】
【技術分野】
【０００１】
本発明は磯釣り等で釣糸と釣糸とを繋ぐ釣用連結具に関する。
【背景技術】
【０００２】
磯釣り等で、道糸９ａと鈎がついたハリス９ｂとを直接結ぶのは非常に難しく、結束強度も十分得られない場合が多い。その理由は道糸９ａの太さとハリス９ｂの太さの違い(図４参照)や、材質の違いによる。したがって、魚釣りの場合、サルカンが多用される。
しかし、このサルカンにも欠点がある。サルカンの材質が金属製のため伸びがなく、アワセ切れの問題がある。斯かる問題を解決するため、丸カン(商品名)やチヌカン(商品名)が登場しているが完璧ではない。魚が掛かると釣糸に負けて破壊される虞があった。
ところで、釣堀等で使用されている図１１(ロ)のようなアワセ切れ対策が施されたクッションゴムが存在する。しかし、これを磯釣り等で用いると不必要に大きなものになる。狭い釣堀で大きな獲物を捕らえるために全長２００mmほどの長いクッションゴムを使用しているが、該クッションゴムを図１１(ハ)のごとく短くすれば磯釣り等の釣用連結具になるかといえばそうではない。クッションゴムに係るゴム部ｍの両端には、高周波接着や熱融着でサルカン１０のリング１０ｂを通すループ体ｎが形成されており、引っ張り合った時に該ループ体ｎの部分で切れ易くなる問題をかかえていた。そのため、従来のクッションゴムは、そのゴム部ｍを太くしたり、リング径が大きなサイズの大型サルカン１０を用いたりしなければならなかった。一方で、こうした問題を解決する発明も提案されている(例えば特許文献１参照)。
【先行技術文献】
【特許文献】
【０００３】
【特許文献１】特開２００５−５８００１号公報
【発明の概要】
【発明が解決しようとする課題】
【０００４】
しかるに、特許文献１は「軟質伸縮性ポリウレタンエラストマー材のチューブ状クッション体の両端に金属製の芯材を差し込んでループ体にし、そのループ体には、サルカンを係止してなることを特徴とする釣用クッション具」であり、ループ体の部分で切れる問題は改善するが、クッション体の両端に金属製の芯材を差し込む分、コスト高になっている。また、ループ体ｎを形成するクッションゴムにあって、ループ体ｎに通すことのできるサルカン１０のリングサイズが依然として大きくならざるを得なかった。加えて、特許文献１だけでなく、従来のクッションゴムは、図１１(ハ)のごとく高周波接着や熱融着でループ体を形成する端部が段差ｍ１となって、この段差ｍ１で釣糸９が絡まり易い問題もあった。
【０００５】
本発明は上記問題点を解決するもので、サルカンとしての機能を発揮しながら、アワセ切れや釣糸の絡まりをなくし、且つ釣糸を繋ぐ係止具を小さくして連結具全体をコンパクト化でき、さらに錘や浮き等の釣具を交換自在に取付けることのできる釣用連結具を提供することを目的とする。
【課題を解決するための手段】
【０００６】
上記目的を達成すべく、請求項１に記載の発明の要旨は、弾性材料からなる軸状部材(1a)の両端部分にそれぞれ釣糸(9)を結ぶ係止具(1e)を設けた主軸状体(1)を具備し、さらに、該係止具が、金属製環状部(10b)と、これを回転自在に取付けている胴部(10a)とを備え、且つ前記軸状部材(1a)の両端部分で、端面(15)から該軸状部材(1a)の軸内方向に、該胴部(10a)がそれぞれ埋設一体化されてなることを特徴とする釣用連結具にある。
請求項２の発明たる釣用連結具は、請求項１で、軸状部材(1a)の弾性材料がゴム材料からなり、さらに、該軸状部材(1a)が、その両端部分に前記胴部(10a)をそれぞれ組み込んでインサート成形されてなることを特徴とする。
請求項３の発明たる釣用連結具は、請求項１で、軸状部材(1a)の弾性材料がゴム材料からなり、さらに、前記軸状部材(1a)の両端部分で、端面(15)から該軸状部材の軸内部へ凹所(16)が形成される一方、筒外周面(10a2)に接着剤(g)を塗布した前記胴部(10a)が、それぞれ該凹所(16)に挿入、埋設されて、凹所(16)を形成する内壁(16a)に接着固定されることを特徴とする。
請求項４の発明たる釣用連結具は、請求項１〜３で、本体主部(2a)に縦通する通孔(20)を形成し、且つ該本体主部の外周面(21)から通孔(20)に達する半径方向の割り溝(23)が設けられた釣具(2)をさらに具備し、且つ前記軸状部材(1a)の一端部分に該通孔(20)の孔径(D)よりも外径が大きくして釣具(2)の抜け落ちを阻止するストッパ部(14)を設ける一方、該軸状部材(1a)の他端部分に向けて前記通孔(20)の孔径(D)よりも外径(d2)が小さな小径軸部(12)を設け、さらに、前記ストッパ部(14)から延設し該小径軸部(12)につながる該軸状部材(1a)の前記ストッパ部(14)側で、且つ前記胴部(10a)が埋設された第一胴部埋設部位(11a)に、前記通孔(20)の孔径(D)よりも該第一胴部埋設部位(11a) そのものの外径(d1)が大きいか又は該第一胴部埋設部位(11a)の外径(d1)を大きくする隆起部(18)が隆起形成され、該第一胴部埋設部位そのもの又は該隆起部(18)を弾性変形させることにより前記釣具(2)を該隆起部(18)が在る該第一胴部埋設部位(11a)に嵌入できるようにし、且つ該第一胴部埋設部位そのもの又は該隆起部(18)の弾性復元力で嵌入された該釣具を係止するようにしたことを特徴とする。
請求項５の発明たる釣用連結具は、請求項１〜４で、本体主部(2a)に縦通する通孔(20)を形成し、且つ該本体主部の外周面(21)から通孔(20)に達する半径方向の割り溝(23)が設けられた釣具(2)をさらに具備し、且つ前記軸状部材(1a)の一端部分に該通孔(20)の孔径(D)よりも外径が大きくして釣具(2)の抜け落ちを阻止するストッパ部(14)を設ける一方、該軸状部材(1a)の他端部分に向けて前記通孔(20)の孔径(D)よりも外径(d2)が小さな小径軸部(12)を設け、さらに前記軸状部材(1a)の他端部分で、前記胴部(10a)が埋設された第二胴部埋設部位(11b)に、前記通孔(20)の孔径(D)よりも該第二胴部埋設部位(11b)の外径(d5)を大きくするか又は横幅を前記割り溝(23)の溝幅(W0)よりも大きくする縦長の突部(19)が突出形成され、該突部(19)を弾性変形させることにより前記釣具(2)が突部(19)を乗り越え前記ストッパ部(14)の在る小径軸部(12)側へ嵌め込まれるようにし、且つ弾性復元した該突部(19)で、該ストッパ部(14)の在る小径軸部(12)側へ遊嵌された該釣具(2)が該第二胴部埋設部位(11b)の環状部(10b)側へ抜け出るのを係止するようにしたことを特徴とする。
【発明の効果】
【０００７】
本発明の釣用連結具は、軸状部材の両端部分に係止具の環状部が回転自在に取り付けられてサルカンとして機能するにとどまらず、弾性材料からなる軸状部材でアワセ切れをなくし、さらに係止具の胴部が軸状部材の端面から軸内部に埋設一体化されているので、釣糸を繋ぐ係止具を小さくして主軸状体全体もコンパクト化でき、且つ釣糸の絡まりもなくなり、加えて、軸状部材にストッパ部や隆起部,突部を設けることによって、錘や浮き等の釣具を着脱自在に取付けることができるなど数々の優れた効果を発揮する。
【図面の簡単な説明】
【０００８】
【図１】実施形態１の釣用連結具で、図１は(イ)その概略正面図、(ロ)が概略側面図である。
【図２】(イ)が図１の平面図、(ロ)が図１の底面図、(ハ)が図１のIV-IV線矢視図、(ニ)が図１のV-V線矢視図である。
【図３】(イ)が釣具たる錘の正面図、(ロ)が(イ)の平面図である。
【図４】図１の主軸状体に図３の錘を取付ける様子を示す一部破断説明図である。
【図５】図３(ロ)の錘に代わる他態様の錘の平面図である。
【図６】(イ)が図１の突部に代わる他態様の突部周りの正面図で、(ロ)が(イ)の側面図、(ハ)は図２(イ)の突部に代わる他態様の突部周りの平面図で、(ニ)が(ハ)の正面図である。
【図７】実施形態２で、(イ)〜(ヘ)が集合浮きと分割浮きの斜視図、(ト)〜(リ)が(イ)〜(ヘ)の分割浮きを組み合わせた集合浮きの正面図である。
【図８】図４の錘に代えて浮きを取付ける様子を示す一部破断説明図である。
【図９】実施形態３の主軸状体の断面図である。
【図１０】実施形態４で、(イ),(ロ)が主軸状体の平面図と正面図、（ハ),(ニ)が(イ),(ロ)とはまた異なる主軸状体の平面図と正面図、(ホ)は(ニ)の部分拡大断面図である。
【図１１】実施形態５で、(イ)が他態様の釣具連結具の正面図、(ロ)が従来技術のクッションゴムの説明正面図、(ハ)が(ロ)のクッションゴムの胴長さを短くした説明正面図である。
【発明を実施するための形態】
【０００９】
以下、本発明に係る釣用連結具の実施形態について詳述する。
（１）実施形態１
図１〜図６は本発明の釣用連結具の一形態で、図１は(イ)その概略正面図、(ロ)が概略側面図、図２は(イ)が図１の平面図、(ロ)が図１の底面図、(ハ)が図１のIV-IV線矢視図、(ニ)が図１のV-V線矢視図である。図３は(イ)が釣具たる錘の正面図、(ロ)が(イ)の平面図、図４は図１の主軸状体に図３の錘を取付ける様子を示す一部破断説明図、図５は図３(ロ)の錘に代わる他態様の錘の平面図、図６は(イ)が図１の突部に代わる他態様の突部周りの正面図で、(ロ)が(イ)の側面図、(ハ)は図２(イ)の突部に代わる他態様の突部周りの平面図で、(ニ)が(ハ)の正面図を示す。図９は係止具の図示を省く。
【００１０】
釣用連結具Ａは主軸状体１と釣具２とを具備する。釣糸９と釣糸９を繋ぐ連結具で、例えば、図４のごとく道糸９ａと鈎がつくハリス９ｂとを接続する連結具に適用される。
【００１１】
釣具２は釣用錘３又は釣用浮き４等の魚を釣る道具で、本体主部２ａに縦通する通孔２０を形成し、且つ該本体主部２ａの外周面２１から円形通孔２０に達する半径方向の割り溝２３(23)が設けられる。本実施形態は、図３,図５のような釣り用錘３(以下、単に「錘３」という。)とする。釣具２としての錘３は、本体主部２ａに縦通する通孔２０を形成し、且つ本体主部２ａの外周面２１から該通孔２０に達する半径方向の割り溝２３が設けられた錘体になっている。錘３は、ステンレス鋼,真鍮等からなる所定重量を有する金属加工品で、図３(ロ)のように割り溝２３の部分を切り欠く平面視Ｃ字状とする。全体形状が図３のごとくの厚肉円筒形の錘３である。割り溝２３の幅Ｗ０は、道糸９ａを通孔２０へ誘導するためのものであり、道糸９ａが通過できる幅があれば足りる。図面は分かり易くすべく該幅Ｗ０を強調して大きく描く。釣りを行う際は、円筒形錘３の筒半径方向厚みを変化させて、重さが異なった数種類の重量の錘３が用意される(図３,図５)。各錘３は、いずれも円筒形となる筒中央に通孔２０が設けられ、さらに、円筒形外周面２１の周方向一箇所に、外周より通孔２０に至る縦割りの割り溝２３が設けられる。
【００１２】
通孔２０の孔径Ｄは割り溝２３の幅Ｗ０よりも大きい。釣用連結具Ａとして、錘３を複数有する場合、各錘３の各通孔２０に係る孔径Ｄの寸法を等しくする。一の錘３で、通孔２０の孔径Ｄが筒長手方向に変化し一定でない場合は、「各通孔２０に係る孔径Ｄの寸法を等しくする」に係る孔径Ｄの寸法は最小孔径の寸法が選定される。
【００１３】
一方、主軸状体１は軸状部材１ａと係止具１ｅとを具備する(図１,図２)。弾性材料からなる軸状部材１ａの両端部分に、それぞれ釣糸９を結ぶ係止具１ｅが設けられる。
【００１４】
係止具１ｅは、金属製環状部１０ｂと、該環状部１０ｂを回転自在に取付けている金属製胴部１０ａとを備える。ここでは、係止具１ｅとして、図１のような胴部１０ａの片側のみにリング形環状部１０ｂが取付けられたサルカン１０が用いられる。軸状部材１ａに埋設される胴部１０ａに対し、環状部１０ｂが自在に動いて釣糸９がよじれないようにする。符号１０ａ１は胴部１０ａの天板に設けられる孔で、環状部１０ｂを回転自在に取付ける。符号１０ｃは軸状部材１ａに埋設一体化をより強固にする胴部アンカー１０ｃを示す。胴部アンカー１０ｃは、胴部１０ａの埋設側底板から棒材が図１,図４のごとく軸状部材１ａへの軸内部で軸長手方向に延び、その先端に円板部分が固着される。尚、本発明は胴部アンカー１０ｃも胴部１０ａの一部とみなす。
一の主軸状体１に対し係止具１ｅが一対設けられ、各胴部１０ａが、軸状部材１ａの両端部分で、端面１５から軸状部材１ａの軸内にそれぞれ埋設一体化される。本実施形態は、軸状部材１ａの両端部分に、係止具１ｅの胴部１０ａがインサート成形で埋設一体化される。軸状部材１ａのゴム等からなる弾性材料の成形体に埋め込む胴部の大半を、予め成形型のキャビティに配設して、該弾性材料を充填しインサート成形が行われる。胴部１０ａは環状部１０ｂ側の一部が軸状部材１ａの端面１５から顔を出す。
【００１５】
軸状部材１ａは、ゴム材料や熱可塑性エラストマー材料等の弾性材料からなる棒状体である。該軸状部材１ａが、弾性材料からなり且つ長手方向に弾性伸縮し易い丸棒状にして、磯釣り等でのアワセ切れを解消する。
ここでは、軸状部材１ａ全体を合成ゴムからなる弾性材料で形成する。本発明でいう弾性材料とは、外力を加えたときその強さに応じて変形が生じ、外力を除去すると元の状態に戻る性質を有する材料である。例えば、天然ゴム,イソプレン系ゴム,ブタジエン系ゴム,オレフィン系ゴム,フッ素系ゴム及びシリコーンゴム等のゴム材料や、ポリスチレン系熱可塑性エラストマー,ポリオレフィン系熱可塑性エラストマー,ポリ塩化ビニル系熱可塑性エラストマー,ポリウレタン系熱可塑性エラストマー等の熱可塑性エラストマーなどが含まれる。さらに、ポリスチレン,ポリプロピレン,ポリ塩化ビニル等の熱可塑性フォームや、ポリウレタン,アクリル樹脂,シリコーン等の熱硬化性フォームのプラスチックフォーム等からなる発泡体であってもよい。ただ、軟らかくて粘り強く、よく伸びる物質で、且つ弾性変形可能なゴム材料や熱可塑性エラストマーが好ましい。本実施形態の軸状部材１ａは、係止具１ｅとの強固な一体化を図るべく、筒外周面２１に接着剤ｇを塗布した胴部１０ａをインサートして成形されるが、斯かる軸状部材１ａにあっては、金属製胴部１０ａとの接着性に優れる接着剤ｇが存在するゴム材料がより好ましい。
【００１６】
本軸状部材１ａの一端部分(本発明は「基端部分」ともいう。)には、前記錘３の通孔２０に係る孔径Ｄよりも外径が大きくして釣具２の抜け落ちを阻止するストッパ部１４が設けられる。ここでのストッパ部１４は、通孔２０の孔径Ｄよりも一回り大きな図１ごとくの円柱部で形成される。一方、釣具２に係る該軸状部材１ａの他端部分(本発明は「先端部分」ともいう。)に向けて前記通孔２０の孔径Ｄよりも外径ｄ２が小さな小径軸部１２が設けられる。
詳しくは、基端側のストッパ部１４側から胴部１０ａが埋設された第一胴部埋設部位１１ａの部分が先端側へ向けて延びた後、ここから断面径を徐々に小さくするテーパ部１３ａが設けられ、さらに、その先に小径軸部１２が先端側に向け棒状部にして所定長さ設けられる(図１)。磯釣り等に用いられる本釣用連結具Ａの小径軸部１２の断面径は約２.５mmφで、且つその長さは１０mm〜１５mmほどである。さらに、小径軸部１２の先端から断面径を徐々に大きくするテーパ部１３ｂが設けられ、先端側胴部１０ａが埋設された第二胴部埋設部位１１ｂの部分に至る軸状部材１ａとなっている。軸状部材１ａの全長は２５mm〜３０mm程度で、係止具１ｅを加えた主軸状体１の全長は３５mm〜４０mmとなり、従来のクッションゴムに比べるとコンパクトサイズになっている。
【００１７】
さらに、本実施形態は、ストッパ部１４から延設し小径軸部１２につながる軸状部材１ａの該ストッパ部１４側で、且つ胴部１０ａが埋設された第一胴部埋設部位１１ａには、通孔２０の孔径Ｄよりも第一胴部埋設部位１１ａの外径ｄ１を大きくする複数(ここでは二本)の隆起部１８が隆起形成される。第一胴部埋設部位１１ａの丸棒部に係る円形外周面から、小振りの横断面半円状の隆起部１８が図２(ニ)のごとく外方へ張り出す。両隆起部１８は軸状部材１ａの長手方向に沿って互いに平行に配設される。また、図２(ニ)の横断面視でいえば、二本の隆起部１８が、第一胴部埋設部位１１ａの丸棒部に係る円形外周面で、周方向に１８０°ずらして設けられる。両隆起部１８の突端を結ぶ長さが第一胴部埋設部位１１ａの外径ｄ１となり、該外径ｄ１が通孔２０の孔径Ｄよりも少し大き目に設定される。ここで、本発明でいう第一胴部埋設部位１１ａの外径ｄ１は、隆起部１８がなく、且つ第一胴部埋設部位１１ａの断面形状が円形の場合は、その円形の直径をいい、該断面形状が多角形の場合、一番長い対角線の長さになる。例えば第一胴部埋設部位１１ａの断面形状が正方形の場合は、その対角線長さを第一胴部埋設部位１１ａの外径ｄ１とみなす。また、第一胴部埋設部位１１ａの外周面から部分的に隆起する隆起部１８を有して、且つ本実施形態のごとく隆起部１８が互いに対向して複数在る場合は、該隆起部を含めた外周縁の二点を結ぶ線分が最も長くなるその長さをいう。隆起部１８が在る図２(ニ)では、両隆起部１８の突端を結ぶｄ１の長さが該当する。隆起部１８が互いに対向することなく複数在る場合、例えば第一胴部埋設部位１１ａの丸棒部に係る円形外周面で、周方向に１２０°ピッチでずらして隆起部１８がそれぞれ設けられる場合は、各隆起部１８の突端と第一胴部埋設部位１１ａに係る棒部の中心とを結ぶ半径相当線分うちで、上位二つの線分合計値が第一胴部埋設部位１１ａの外径ｄ１となる。隆起部１８が一つの場合、該隆起部１８の突端と第一胴部埋設部位１１ａに係る棒部の中心を通って棒部の外周縁他端とを結ぶ長さになる。
一方、隆起部１８から外れた第一胴部埋設部位１１ａの丸棒部だけの外径ｄ３は、通孔２０の孔径Ｄよりも僅かに小さく設定される(図２のニ,図４)。隆起部１８は、第一胴部埋設部位１１ａの領域で、軸状部材１ａの長手方向に図２(ニ)のような横断面半円状の等断面形状とする。そうして、隆起部１８を弾性変形させることにより、釣具２たる錘３を、隆起部１８が在る第一胴部埋設部位１１ａに嵌入できるようにし、且つ隆起部１８の弾性復元力で嵌入された錘３を係止するようにしている。
【００１８】
前記隆起部１８が在る第一胴部埋設部位１１ａへの錘３の嵌入、及び嵌入後の錘３の係止についてさらに詳しく述べる。
第一胴部埋設部位１１ａでは軸状部材１ａの内部に胴部１０ａが存在することから、主軸状体１を軸長手方向に伸長させても、該第一胴部埋設部位１１ａは弾性変形で伸長するのが規制される。図２(ニ)で、第一胴部埋設部位１１ａで、隆起部１８を除いた丸棒部だけの外径ｄ３が通孔２０の孔径Ｄよりも僅かに小さく、一方、両隆起部１８の突端を結ぶ外径ｄ１が通孔２０の孔径Ｄよりも少し大き目に設定されている。尚、本実施形態は、両隆起部１８の突端を結ぶ第一胴部埋設部位１１ａの外径ｄ１と、ストッパ部１４の外径とを等しくする。符号１４ａは第一胴部埋設部位１１ａにつながるストッパ部１４の出っ張り面を示し、軸状部材１ａの軸長手方向に対し垂直面を形成する。
【００１９】
斯かる構成によって、図４で、割り溝２３を利用して道糸９ａへ通孔２０を導いた鎖線図示の錘３を、第一胴部埋設部位１１ａの隆起部１８上へしごくようにして移動させることで、隆起部１８が水平横方向に広がり押し潰される格好で弾性変形して、該隆起部１８が在る第一胴部埋設部位１１ａに錘３を嵌入させることができる。ここで、本発明でいう水平方向,横方向とは、図１の紙面左右横方向を指し、上下方向,縦方向とは図１の紙面上下方向を指す。
尚、隆起部１８をなしにして、通孔２０の孔径Ｄよりも第一胴部埋設部位１１ａの外径ｄ１そのものが大きい場合は、例えば主軸状体１の両端部分にある環状部１０ｂにそれぞれ釣糸９を結んで、両釣糸９を引っ張ってやれば、多少面倒ではあるが、第一胴部埋設部位１１ａ上へ錘３を移動させることができる。
かくして、嵌入した錘３は、隆起部１８の弾性復元力によって係止された状態が保たれる。通孔２０の孔径Ｄよりも第一胴部埋設部位１１ａの外径ｄ１そのものが大きい場合は、第一胴部埋設部位１１ａの棒部そのものの弾性復元力によって係止された状態が保たれる。隆起部１８の在る第一胴部埋設部位１１ａの軸状部材１ａの内部には胴部１０ａ(胴部アンカー１０ｃを含む)が入っているため、魚釣り時の引張りに対しても伸び難く、隆起部１８が錘３を係止する状態を保つ。万一、衝撃等で錘３の固定係止状態が失われても、主軸状体１の基端側にはストッパ部１４が、また先端側には次に述べる突部１９が設けられているので、錘３が脱落することはない。
【００２０】
前記突部１９は、ストッパ部１４の在る側とは反対側に位置する軸状部材１ａの他端部分で、前記胴部１０ａが埋設された第二胴部埋設部位１１ｂに形成される。突部１９は、前記錘３に係る通孔２０の孔径Ｄよりも第二胴部埋設部位１１ｂの外径ｄ５を大きく突出形成される。そして、前記隆起部１８と同様に、該突部１９を弾性変形させることにより、錘３が第二胴部埋設部位１１ｂの係止具１ｅ側から突部１９を乗り越えストッパ部１４の在る小径軸部１２側へ嵌め込まれる。さらに、ストッパ部１４の在る小径軸部１２側へ遊嵌された錘３は、弾性復元した突部１９によって、該第二胴部埋設部位１１ｂの環状部１０ｂ側へ抜け出るのを係止するようになっている。
【００２１】
具体的には、第二胴部埋設部位１１ｂの丸棒部に係る円形外周面から、横断面形状が前記隆起部１８とほぼ同形の突部１９が図２(ハ)のごとく外方へ張り出す。両突部１９は軸状部材１ａの長手方向に沿って互いに平行に配設される。また、図２(ハ)の横断面視でいえば、二本の突部１９が、第二胴部埋設部位１１ｂの丸棒部に係る円形外周面で、周方向に１８０°ずらして設けられる。突部１９は、図２(イ)のごとく隆起部１８に対しては９０°ずらして設けられる。両突部１９の突端を結ぶ長さが第二胴部埋設部位１１ｂの外径ｄ５となり、該外径ｄ５が通孔２０の孔径Ｄよりも少し大き目に設定される。一方、隆起部１８から外れた第二胴部埋設部位１１ｂの丸棒部だけの外径ｄ４は、通孔２０の孔径Ｄよりも僅かに小さく設定される(図２のハ,図３）。突部１９は、両端部分を除けば、第二胴部埋設部位１１ｂの領域で、軸状部材１ａの長手方向に図２(ハ)のような横断面半円状の等断面形状になっている。
本発明でいう第二胴部埋設部位１１ｂの外径ｄ５は、第二胴部埋設部位１１ｂの外周面から部分的に隆起する突部１９を有して、且つ本実施形態のごとく突部１９が互いに対向して複数在る場合、該隆起部を含めた外周縁の二点を結ぶ線分が最も長くなるその長さをいう。突部１９が在る図２(ハ)では、両突部１９の突端を結ぶｄ５の長さが該当する。突部１９が互いに対向することなく複数在る場合、例えば第二胴部埋設部位１１ｂの丸棒部に係る円形外周面で、周方向に１２０°ピッチでずらして突部１９がそれぞれ設けられる場合は、各突部１９と第二胴部埋設部位１１ｂに係る棒部の中心とを結ぶ半径相当線分うちで、上位二つの線分合計値が第二胴部埋設部位１１ｂの外径ｄ５となる。突部１９が一つの場合、該突部１９の突端と第二胴部埋設部位１１ｂに係る棒部の中心を通って棒部の外周縁他端とを結ぶ長さになる。
【００２２】
図６(イ),(ロ)は他態様の突部１９を示し、(イ)が正面図で(ロ)が側面図である。図６(イ),(ロ)の突部１９は、正面視ほぼ縦長六角形で、第二胴部埋設部位１１ｂの外周面から突出し、その長手方向を軸状部材１ａの長手方向に合わせて配される。正面視ほぼ縦長六角形の突部１９は、その縦長方向の中間位置の最大張出し地点１９ｂで、図示のごとく水平横方向に張り出す。胴部１０ａが埋設された第二胴部埋設部位１１ｂに、最大張出し地点１９ｂの横幅Ｗ６を前記割り溝２３の溝幅Ｗ０よりも大きく設定するようにして、突部１９が第二胴部埋設部位１１ｂの丸棒部外周面に突出形成される。突部１９は、既述のごとく、衝撃等で第一胴部埋設部位１１ａでの錘３の係止状態が失われた際に、先端側からの錘３の脱落を突部１９で阻止できればよく、前記割り溝２３幅よりも最大張出し地点１９ｂでの横幅Ｗ６を大きくするだけでも十分になる。脱落を突部１９で阻止できればよく、図６(ロ)のように、第二胴部埋設部位１１ｂの丸棒部外周面に該突部１９を一箇所設けるだけで足りる。図６(ロ)における第二胴部埋設部位１１ｂの突部１９ｂが在る箇所の外径ｄ６は、通孔２０の孔径Ｄと同等か又はやや小さくしている。
図６(ハ),(ニ)は別態様の突部１９を示し、(ハ)が平面図で(ニ)が正面図である。図１,図２では、第二胴部埋設部位１１ｂの丸棒部外周面から突部１９が半円状に張り出したが、ここでの突部１９は裾野を広げて横断面山状に張り出す形状とする。他の構成は図１,図２における突部１９と同様で、その説明を省く。図６(ハ),(ニ)は突部１９だけでなく、隆起部１８にも適用できる。
【００２３】
（２）実施形態２
本実施形態は図７,図８ごとくの釣用連結具Ａである。図７は(イ)〜(ヘ)が集合浮き４と分割浮き４の斜視図で、(ト)〜(リ)が(イ)〜(ヘ)の分割浮き４を組み合わせた集合浮き４の正面図、図８は図４の錘３に代えて浮き４を主軸状体１に取付ける様子を示す一部破断説明図である。図７は各通孔２０が小さく描かれており、実際は図示よりも多少大きな通孔となる。図８に用いた浮き４は、図７(ロ)の分割浮きであるが、図７のものよりもやや扁平化させた形状で図示する。
【００２４】
釣用連結具Ａは主軸状体１と釣具２とを具備する。本実施形態の釣具２は、図７,図８のような釣り用浮き４(以下、単に「浮き４」という。)とする。
【００２５】
浮き４は、海上又は海中でその所在を明らかにする軽量指標物で、ここでは水中浮き４になっている。
浮きには、本体主部２ａに縦通する通孔２０を形成し、且つ本体主部２ａの外周面２１から通孔２０に達する半径方向の割り溝２３が設けられる。図７の各浮き４は、割り溝２３の部分を切り欠く平面視Ｃ字状とする。割り溝２３の幅Ｗ０は、道糸９ａを通孔２０に誘導するためのものであるため、道糸９ａが通過できる溝幅があれば足りる。釣りをする場合は、浮力や大きさ,形状が違う数種類の重量の浮き４が適宜用意される。各浮き４は、いずれも本体主部２ａを縦通する通孔２０が設けられ、さらに、外周面２１の周方向一箇所に、外周より通孔２０に至る縦割りの割り溝２３が設けられる。
通孔２０の孔径Ｄは割り溝２３の幅Ｗ０よりも大きい。釣用連結具Ａとして、浮き４を複数有する場合、各浮き４の各通孔２０に係る孔径Ｄの寸法を等しくする。一の浮き４で、通孔２０の縦通方向に孔径Ｄの寸法が変化し一定でない場合は、孔径Ｄの寸法として最小孔径の寸法が選ばれる。
【００２６】
図７は、縦通する通孔２０を分断するよう、本体主部２ａが分割面を有して複数に分割された一分割浮き４ｆになる。一方、該分割面と他の分割浮き４ｆの分割面とを接合させることにより複合の本体主部２ａをなす集合浮き４Ｆを形成する。具体的には、卵形の本体主部２ａを縦通する通孔２０の縦方向に対し、本体主部２ａが輪切り状に複数分割された一分割浮き４ｆになる。一方、他の分割浮き４ｆを集合させることにより集合浮き４Ｆを形成する。分割浮き４ｆは通常の浮き４と同じように浮き４として使用できる。集合浮き４Ｆも通常の浮き４と同じように浮き４として使用できるものである。
【００２７】
図７の各浮き４は、本体主部２ａを縦通する通孔２０の縦方向に対し、輪切り状に二分割する分割浮き４ｆとする。その上側分割浮き４ｆ１は、図７(ロ)のごとく半球状上側碗部４０の碗面を分割板４１が塞ぐ中空半球状体で、分割板４１の中心部に通孔２０用孔壁２９がつくる管状部２８が起立し、且つ半球外周面２１から通孔２０に達する割り溝２３が入っている。下側分割浮き４ｆ２は、図７(ハ)のごとく半球状下側碗部４２の碗面を分割板４３が塞ぐ中空半球状体で、分割板４３の中心部に通孔２０用孔壁２９がつくる管状部２８が起立し、且つ半球外周面２１から通孔２０に達する割り溝２３が入っている。
上側分割浮き４ｆ１や下側分割浮き４ｆ２は、単独で、本体主部２ａに縦通する通孔２０を形成し、且つ該本体主部２ａの外周面２１から通孔２０に達する半径方向の割り溝２３が設けられた釣具２たる浮き４となる。また、上側分割浮き４ｆ１と下側分割浮き４ｆ２の両分割板４１,４３を重ね合わせることによって、図７(イ)のごとくの集合浮き４Ｆとなる。符号Ｓは両分割板４１,４３の接合面を示す。集合浮き４Ｆにしたとき、両分割浮き４ｆの両通孔２０がつながり、且つ両割り溝２３がつながる。集合浮き４Ｆも、本体主部２ａに縦通する通孔２０を形成し、且つ本体主部２ａの外周面２１から通孔２０に達する半径方向の割り溝２３が設けられた浮き４となる。
図７(ニ)〜(ヘ)は、図７(イ)〜(ハ)の集合浮き４Ｆ,分割浮き４ｆをワンサイズ大きくした集合浮き４Ｆ,上側分割浮き４ｆ３,下側分割浮き４ｆ４となっている。但し、図７(イ)〜(ニ)の各通孔２０の孔径Ｄは等しくする。また、図７(ト)〜(リ)は、図７(イ)〜(ヘ)のような大小分割浮き４ｆの組合わせを変えて集合浮き４Ｆとした一例である。
【００２８】
主軸状体１は実施形態１と同じで、その説明を省く。主軸状体１、さらに浮き４の説明で使用した実施形態１と同一符号は、同一又は相当部分を示す。
【００２９】
次に、前記浮き４を用いた釣用連結具Ａの一使用方法を説明する。まず、図８のようにストッパ部１４がある第一胴部埋設部位１１ａ側のサルカン１０をハリス９ｂに結び、突部１９が在る第二胴部埋設部位１１ｂ側のサルカン１０を釣り竿側の道糸９ａに結ぶ。次いで、割り溝２３を利用して道糸９ａへ通孔２０を導いた鎖線図示の浮き４は、突部１９を弾性変形させてこれを乗り越える。そうして、第一胴部埋設部位１１ａの隆起部１８上へ該浮き４をしごくように嵌入する。隆起部１８が押し潰される格好で水平横方向にひろがり弾性変形して、該隆起部１８が在る第一胴部埋設部位１１ａに浮き４を嵌入できる。嵌入された浮き４は隆起部１８の弾性復元力によって係止された状態が保たれる。これだけで、主軸状体１に浮き４を取付けることができる釣用連結具Ａになっている。
隆起部１８の在る第一胴部埋設部位１１ａの軸状部材１ａ内部には胴部１０ａ(胴部アンカー１０ｃを含む)が入っているため、軸状部材１ａが弾性材料からなっていても、魚釣り時の引張りに対して伸び難く、隆起部１８が浮き４を係止保持する。万一、衝撃等で錘３の固定係止状態が失われても、主軸状体１の基端側にはストッパ部１４が、また先端側には突部１９が設けられているので、浮き４が脱落することはない。
また、該浮き４を交換する場合、隆起部１８,突部１９を弾性変形させて主軸状体１から取り外す。その後、他の浮き４や錘３を前述と同様の作業で取付けることになる。実施形態１の錘３の場合も、同様の作業で主軸状体に着脱自在に取付けることができる。
【００３０】
（３）実施形態３
本実施形態は図９ごとくの釣用連結具Ａに係る主軸状体１である。図９は実施形態１,２に代わる主軸状体１の断面説明図で、(イ)が軸状部材１ａと係止具１ｅの分解断面図、(ロ)が係止部の胴部１０ａが軸状部材１ａに埋設一体化された断面図を示す。
【００３１】
主軸状体１は、軸状部材１ａと係止具１ｅとを具備する。係止具１ｅは実施形態１の係止具１ｅと同様で、その説明を省く。
軸状部材１ａの弾性材料がゴム材料からなり、さらに、軸状部材１ａの両端部分で、端面１５から該軸状部材１ａの内部へ軸長手方向に凹所１６が形成される。ここでは、軸状部材１ａが予め図９(イ)のような形状に成形される。凹所１６は胴部１０ａを挿着できる大きさにする。そうして、筒外周面(10a2)に接着剤ｇを塗布した胴部１０ａが、それぞれ該凹所１６に挿入、埋設され、凹所１６を形成する内壁１６ａに接着固定されて、実施形態１とほぼ同形状の主軸状体１が出来上がる。その他の構成は実施形態１と同様で、その説明を省く。実施形態１と同一符号は同一又は相当部分を示す。釣具２の図示及びその説明は省くが、実施形態１,２の錘３や浮き４との組合わさった釣用連結具Ａになる。錘３や浮き４の各通孔２０の孔径Ｄは等しくする。
【００３２】
（４）実施形態４
本実施形態は図１０ごとくの釣用連結具Ａに係る主軸状体１である。図１０は実施形態１〜３に代わる主軸状体１の概略説明図で、(イ)が実施形態１の主軸状体１から隆起部１８をなしにし、突部１９だけを設けた平面図、(ロ)が(イ)の正面図である。(ハ)が実施形態１の主軸状体１から突部１９をなしにする一方、胴部１０ａを長くして、隆起部１８も軸状部材１ａの長手方向に長く形成した平面図、(ニ)が(ハ)の正面図、(ホ)が(ハ)の部分拡大断面図を示す。図１０(ホ)のごとく、実施形態１の胴部アンカー１０ｃよりも長い胴部アンカー１０ｃを配設して、軸状部材１ａの軸長手方向に長めの隆起部１８が確保される。
【００３３】
実施形態１では、隆起部１８及び突部１９を設けたが、本実施形態は(イ),(ロ)が突部１９だけを設けた主軸状体１で、(ハ)〜(ホ)が隆起部１８だけを設けた主軸状体１とする。また、実施形態１では、ストッパ部１４を円柱部で構成したが、ここではストッパ部１４の外周面を波状にして滑り止めを形成する。実施形態１の環状部１０ｂはリングを形成する両端末部分が孔１０ａ１から胴部１０ａに入っていたが、本実施形態は胴部１０ａに入る手前で一方の端末が他方の端末に巻回して、リングを形成する両端末部分のうちの一本が胴部１０ａに入る。
釣具２の図示及びその説明は省くが、実施形態１,２の錘３や浮き４が組合わさった釣用連結具Ａになる。
【００３４】
図１０(イ),(ロ)ごとく、実施形態１の主軸状体１と違って隆起部１８のない主軸状体１であっても、小径軸部１２に遊嵌された釣具２たる錘３や浮き４はストッパ部１４と突部１９によって抜け落ちるのが阻まれるので、主軸状体１に錘３や浮き４等の釣具２を着脱自在に設けることのできる釣用連結具Ａになっている。また、図１０(ホ)のごとく、軸状部材１ａの長手方向に必要長さの隆起部１８が確保されると、実施形態１,２よりも数多くの錘３や浮き４を隆起部１８の弾性復元力で係止できるようになる。釣用連結具Ａのバリエーションが広がり、機能アップしている。他の構成は、実施形態１と同様で、その説明を省く。実施形態１と同一符号は同一又は相当部分を示す。
【００３５】
（５）実施形態５
本実施形態は図１１(イ)ごとくの釣用連結具Ａたる主軸状体１である。実施形態１の主軸状体１から隆起部１８、突部１９、及びストッパ部１４がない主軸状体１になっている。ここでの主軸状体１は、単独で釣用連結具Ａとなり、釣具２は存在しない。本主軸状体１は、対比説明図としての図１１(ロ)のクッションゴムの従来品や、図１１(ロ)のゴム部ｍの長さを短くした図１１(ハ)の短尺品と比べて、非常に小さな製品になる。
本主軸状体１は、釣具２を第一胴部埋設部位１１ａに取付けることができないだけで、サルカンとして機能し、またアワセ切れをなくす。さらに、係止具１ｅの胴部１０ａが、実施形態１と同様、軸状部材１ａの端面１５から軸内方向に埋設一体化されているので、釣糸９を繋ぐ係止具１ｅを小さくして主軸状体全体もコンパクト化される。且つ釣糸９の絡まりもない製品になっている。
他の構成は実施形態１の主軸状体１と同様で、その説明を省く。実施形態１と同一符号は同一又は相当部分を示す。
【００３６】
（６）効果
このように構成した釣用連結具Ａは、軸状部材１ａの両端部分にそれぞれ釣糸９を結ぶ係止具１ｅが配設され、係止具１ｅの胴部１０ａに環状部１０ｂを回転自在に取付けているので、釣糸９がよじれないように工夫された従来のサルカンと同様の機能を発揮する。金属製環状部１０ｂであるため、従来品たるゴム環のようにゴムが釣糸９で切れる虞はない。
【００３７】
そして、係止具１ｅの胴部１０ａが、軸状部材１ａの両端部分で、端面１５から該軸状部材１ａの軸内部にそれぞれ埋設一体化され、図１１(ロ)ごとくのクッションゴムのような段差ｍ１が存在しないので、魚釣り時に釣糸９がループ体んの折り返し部分や段差ｍ１で絡まる問題もなくなる。しかも、胴部１０ａを端面１５から軸状部材１ａの軸内に埋設一体化するので、クッションゴムのごとくループ体ｎが切れるといった問題も解消する。さらに、ループ体ｎへ必要以上に大きなサルカンを取付けることもなくなる。大きなサルカンでは、磯釣り等に用いる釣用連結具Ａとして受け入れられない。本釣用連結具Ａは図１１(イ)のごとく係止具１ｅたるサルカン１０が小さく、図１１(ロ)のクッションゴムに比べて全体形状も小さくなって扱い易く、磯釣り等の釣用連結具Ａとして打ってつけとなっている。ちなみに、図１１(イ),(ロ)はほぼ実寸大の比較図である。
【００３８】
また、軸状部材１ａの弾性材料がゴム材料からなり、さらに、軸状部材１ａの両端部分に、図１のごとく胴部１０ａがそれぞれインサート成形で埋設一体化されると、主軸状体１を容易に成形できる。軸状部材１ａの弾性材料がゴム材料からなり、さらに、軸状部材１ａの両端部分で、図９のごとく端面１５から軸状部材１ａの軸内方向に凹所１６が形成される一方、筒外周面１０ａ２に接着剤ｇを塗布した前記胴部１０ａが、それぞれ該凹所１６に挿入、埋設されて、凹所１６を形成する内壁１６ａに接着固定されると、金属製胴部１０ａであっても軸状部材１ａに該胴部１０ａを強固に一体化できる。
【００３９】
さらに、本主軸状体１は弾性材料からなる軸状部材１ａの両端部分にそれぞれ釣糸９を結ぶ係止具１ｅが設けられ、その両端部分が係止具１ｅによって弾性変形に制限を受けても、軸状部材１ａの中央部分が弾性変形可能であることから、アワセ切れ対策品にもなっている。アタリが出た時、魚の口に鈎を引っ掛ける動作をアワセといい、強く合わせすぎて釣糸９を切ってしまうアワセ切れの問題があるが、釣り人と魚とで引っ張り合った時でも、弾性材料からなる軸状部材１ａの中央部分たる小径軸部１２が弾性伸長してアワセ切れを解消する。現在の磯釣り,堤防釣りで用いられている釣糸９の線径は細く、魚が掛かった時にアワセを入れると、釣糸９が切れることがしばしばあるが、本釣用連結具Ａを用いればそのような事態を回避できる。
【００４０】
加えて、実施形態１や実施形態２の錘３や浮き４を備え、且つ図１０(イ),(ロ)のごとく、軸状部材１ａの一端部分にストッパ部１４を設ける一方、該軸状部材１ａの他端部分に向けて小径軸部１２を設け、さらに第二胴部埋設部位１１ｂに突部１９が突出形成されて、釣具２が小径軸部１２側へ嵌め込まれると、小径軸部１２に遊嵌された釣具２が主軸状体１から抜け出るのを、ストッパ部１４と弾性復元した該突部１９とが係止するので、錘３や浮き４等の釣具２を簡単に取付け,取外しができる釣用連結具Ａとなる。
本体主部２ａに縦通する通孔２０を形成し、且つ該本体主部２ａの外周面２１から該通孔２０に達する半径方向の割り溝２３が設けられる釣具２として、錘３や浮き４に適用すれば、錘３や浮き４としても機能発揮できる。さらに、通孔２０の孔径Ｄを等しくする錘３や浮き４を取り揃えれば、道糸９ａを傷つけることなく短時間で簡単に所望の錘３,浮き４に交換できる。浮き４に図７のような分割浮き４ｆを用いれば、第一胴部埋設部位１ａ,隆起部１８の長さが短くなり、主軸状体１も短くでき、浮き４を用いた場合もコンパクトな釣用連結具Ａになる。
【００４１】
また、図１０(ハ)〜(ホ)のように、軸状部材１ａの一端部分にストッパ部１４を設ける一方、該軸状部材１ａの他端部分に向けて小径軸部１２を設け、さらに、ストッパ部１４から延設し該小径軸部１２につながる軸状部材１ａのストッパ部１４側で、且つ胴部１０ａが埋設された第一胴部埋設部位１１ａに隆起部１８が隆起形成されると、釣具２を該隆起部１８が在る該第一胴部埋設部位１１ａに嵌入させた後、隆起部１８の弾性復元力で該釣具２を係止することができる。錘３や浮き４等の釣具２を簡単に取付け,取外しができる釣用連結具Ａとなる。引張り状態時に、万一、錘３や浮き４の釣具２が、隆起部１８からフリーになっても、竿先よりも釣具２が下方に在ることから、重力によって釣具２はストッパ部１４の出っ張り面１４ａに当たってこの位置にとどまる。
【００４２】
ここで、隆起部１８が在る第一胴部埋設部位１１ａへの釣具２の前記嵌入では、第一胴部埋設部位１１ａに胴部１０ａが埋設されていることから、軸状部材１ａのこの部分は伸縮し難く、軸状部材１ａのこの部分をしごいて釣具２を嵌入する。ストッパ部１４や第二胴部埋設部位１１ｂ側の係止具１ｅを持てば、比較的容易に嵌入できる。一方で、第一胴部埋設部位１１ａのこの部分が伸縮し難いことから、根がかり等の引っ張りの事態になっても、外径が細くならず、第二胴部埋設部位１１ｂの外径が変化しないので、隆起部１８に嵌入された釣具２は軸状部材１ａに安定して係止保持されるメリットを有している。
【００４３】
さらに、割り溝２３を利用して、釣糸９を切ることなく、釣具２を釣用連結具Ａに着脱自在に装着できる。従来の中通し錘は、号数を変えるたびに釣糸９を切る不具合や、さらに釣糸９を擦る問題があったが、こうした事態は発生しない。また割り錘は、一度口を閉じると開けるのが容易でなかった。さらに釣糸９が潰れる問題があったが、こうした事態も発生しない。
【００４４】
さらにいえば、図１０(ハ)〜(ホ)のごとく軸状部材１ａに埋設される胴部１０ａを長くして隆起部１８を長くすれば、浮き４と錘３の併用も可能な釣用連結具Ａとなる。浮き４と錘３を組み合わせた様々なバリエーションも演出できる。
本実施形態は錘３と浮き４について説明したが、釣具２に係る通孔２０の孔径Ｄが共通であれば、錘３,浮き４にとどまらず、あらゆる種類の釣具２を主軸状体１に交換自在に取付けることができる。仕掛けの共有化が図れることとなり、頗る便利になる。
【００４５】
加えて、図１,図２のごとくストッパ部１４、隆起部１８、及び突部１９を備える主軸状体１とすると、主軸状体１へ取付けられた釣具２の抜け落ち防止が完璧になる。隆起部１８の弾性復元力で嵌入された該釣具２を係止するが、万一、衝撃等で隆起部１８から釣具２は外れることがあっても、ハリス９ｂ側への抜け落ちはストッパ部１４が阻止し、釣り竿が在る道糸９ａ側への抜け落ちは突部１９が係止するので、魚釣りの使用中に釣具２が脱落することがない。
かくのごとく、本釣用連結具Ａは、上述した数々の優れた効果を発揮し、これまでにない画期的な複合機能付きサルカン代替品になっている。
【００４６】
尚、本発明においては前記実施形態に示すものに限らず、目的,用途に応じて本発明の範囲内で種々変更できる。主軸状体１,軸状部材１ａ,係止具１ｅ,釣具２,錘３,浮き４等の形状,大きさ,個数,材質等は用途に合わせて適宜選択できる。例えば、実施形態１で、筒半径方向厚みを変化させて、重さが異なった数種類の重量の錘３を用いたが、これに代え、筒長手方向長さを変化させて、重さが異なった数種類の重量の錘３を用いることができる。浮き４についても、図７のような分割浮き４ｆや集合浮き４Ｆに限らず、図７(イ)の分割浮き４ｆ１,４ｆ２二つが合体する一つの浮きで、図７(イ)の外形をつくる公知の浮きを用いることができる。
【符号の説明】
【００４７】
１          主軸状体
１ａ        軸状部材
１ｅ        係止具
１０ａ      胴部
１０ａ２      胴部外周面
１０ｂ      環状部
１５        端面
１６        凹所
１６ａ      内壁
１８        隆起部
１９        突部
２          釣具
２ａ        本体主部
２０        通孔
２１        外周面
２３        割り溝
９          釣糸
Ａ          釣用連結具
Ｄ          孔径（通孔の孔径）
Ｗ０          溝幅(割り溝幅)
Ｗ６          横幅
ｄ１，ｄ２    外径
【図１】
2012034656.tif 000003
【図２】
2012034656.tif 000004
【図３】
2012034656.tif 000005
【図４】
2012034656.tif 000006
【図５】
2012034656.tif 000007
【図６】
2012034656.tif 000008
【図７】
2012034656.tif 000009
【図８】
2012034656.tif 000010
【図９】
2012034656.tif 000011
【図１０】
2012034656.tif 000012
【図１１】
2012034656.tif 000013